(57)【特許請求の範囲】
【請求項１】
壁パネルに形成された複数の貫通穴にそれぞれ挿入される配管接続用アダプターと、当該配管接続用アダプターに係合してその回転を規制する共回り防止部材とを備えた共回り防止構造において、
前記共回り防止部材が各配管接続用アダプターに対してそれぞれ一個づつ設けられるとともに、
前記共回り防止部材は、前記壁パネルに添設されるベース部と、このベース部の一端側に設けられた係合突部と、前記ベース部から起立する一対の立ち上がり部とを備え、前記係合突部が隣接する他の共回り防止部材の立ち上がり部間に位置して当該係合突部の回転が規制された状態で各共回り防止部材が相互に連結されることを特徴とする配管接続用アダプターの共回り防止構造。
【請求項２】
壁パネルに形成された貫通穴に挿入される配管接続用アダプターに係合して当該配管接続用アダプターの回転を規制する共回り防止部材において、
前記壁パネルに添設されるベース部と、このベース部の一端側に設けられた係合突部と、前記ベース部から起立する一対の立ち上がり部とを備え、前記係合突部を隣接する他の共回り防止部材の立ち上がり部間に位置させて当該係合突部の回転が規制された状態で当該他の共回り防止部材と連結可能に設けられていることを特徴とする共回り防止部材。
【発明の詳細な説明】
【０００１】
【発明の属する技術分野】
本発明は、配管接続用アダプターの共回り防止構造及び共回り防止部材に係り、更に詳しくは、壁パネルへのアダプターの装着位置に拘わらず、簡単な構成でアダプターの回転を規制することのできる配管接続用アダプターの共回り防止構造及び共回り防止部材に関する。
【０００２】
【従来の技術】
浴室ユニット等の壁パネルに湯水混合水栓等を取り付ける場合には、例えば、図８に示されるように、壁パネル５１の室内外に配置される給水管の各接続部５３，５４同士及び給湯管の各接続部５５，５６同士が、配管接続用のアダプター５８，５８を介して接続されるようになっている。当該アダプター５８，５８は、壁パネル５１に形成された貫通穴５１Ａ，５１Ａにそれぞれ挿入されるようになっており、当該挿入時に室内側に位置する段付きねじ筒部６０と、この段付きねじ筒部６０の基部側に位置する平面視略正六角形状の鍔部６１と、この鍔部６１から段付きねじ筒部６０の反対側に延びて室外側に位置するねじ筒部６２とによって構成されている。各アダプター５８は、室内側に突出した段付きねじ筒部６０にナット状のストッパ６４を室内側からねじ込むことで壁パネル５１に固定される。この際、各鍔部６１，６１と壁パネル５１との間には、各アダプター５８，５８の回転を規制する共回り防止部材６６が設けられている。
【０００３】
この共回り防止部材６６は、長片状のベース部６８と、ベース部６８の短寸幅方向両端側（図８中上下両端側）に位置するとともに、前記鍔部６１の外周縁部分が係合する上下一対の立ち上がり部６９，６９とを備えている。ベース部６８には、その延出方向に沿う三箇所に貫通穴６８Ａが形成され、これら貫通穴６８Ａの何れか二つに前記段付きねじ筒部６０，６０が挿入されるようになっている。このように、貫通穴６８Ａに各アダプター５８が挿入された状態では、一個の共回り防止部材６６が二個のアダプター５８，５８を介して壁パネル５１に保持されるため、共回り防止部材６６の回転を規制することができ、しかも、各鍔部６１の外周縁部分が立ち上がり部６９，６９に係合しているため、各アダプター５８と共回り防止部材６６との相対回転をも規制でき、ストッパ６４の締め付け時等におけるアダプター５８の共回りが規制されることになる。
【０００４】
【発明が解決しようとする課題】
しかしながら、前記共回り防止部材６６にあっては、その貫通穴６８Ａ，６８Ａの最大離間幅よりも壁パネル５１の貫通穴５１Ａ，５１Ａの離間幅が大きい場合には、二個のアダプター５８，５８を一個の共回り防止部材６６に装着することが不可能となる。この際、各アダプター５８，５８に対してそれぞれ一個ずつ共回り防止部材６６，６６を装着することで対応することも理論上可能であるが、この場合、一個の共回り防止部材６６につき、一個のアダプター５８のみで支持されることになるため、当該アダプター５８とそれに係合している共回り防止部材６６とが一体的に回転可能となって、ストッパ６４の締め付け時等においてアダプター５８が共回りし易くなってしまうという不都合を招来する。従って、この場合には、共回り防止部材６６を壁パネル１１に直接固定する作業、例えば、壁パネル５１に凹部を形成して当該凹部に共回り防止部材６６を受容させる作業や、共回り防止部材６６を壁パネル５１にねじ止め若しくは接着する作業が必要となり、施工コストの高騰化や施工上の煩雑化を招来するという不都合がある。
【０００５】
【発明の目的】
本発明は、このような不都合に着目して案出されたものであり、その目的は、各配管接続用アダプターに対して共回り防止部材をそれぞれ一個づつ設けたときでも、当該共回り防止部材の回転を規制することができる配管接続用アダプターの共回り防止構造及びそれに用いられる共回り防止部材を提供することにある。
【０００６】
【課題を解決するための手段】
前記目的を達成するため、本発明に係る共回り防止構造は、壁パネルに形成された複数の貫通穴にそれぞれ挿入される配管接続用アダプターと、当該配管接続用アダプターに係合してその回転を規制する共回り防止部材とを備えた共回り防止構造において、
前記共回り防止部材が各配管接続用アダプターに対してそれぞれ一個づつ設けられるとともに、
前記共回り防止部材は、前記壁パネルに添設されるベース部と、このベース部の一端側に設けられた係合突部と、前記ベース部から起立する一対の立ち上がり部とを備え、前記係合突部が隣接する他の共回り防止部材の立ち上がり部間に位置して当該係合突部の回転が規制された状態で各共回り防止部材が相互に連結される、という構成を採っている。このような構成によれば、各配管接続用アダプターに対してそれぞれ一個づつ設けられた共回り防止部材が連結されるため、当該共回り防止部材を壁パネルに直接固定する必要がなく、共回り防止部材とアダプターとの係合によって各共回り防止部材と各アダプターとの一体回転を規制することができる。また、各共回り防止部材を連結させる他の部材等が不要となり、共回り防止部材の取り付け時に必要となる部品点数を低減することができる。
【０００８】
また、本発明に係る共回り防止部材は、壁パネルに形成された貫通穴に挿入される配管接続用アダプターに係合して当該配管接続用アダプターの回転を規制する共回り防止部材において、
前記壁パネルに添設されるベース部と、このベース部の一端側に設けられた係合突部と、前記ベース部から起立する一対の立ち上がり部とを備え、前記係合突部を隣接する他の共回り防止部材の立ち上がり部間に位置させて当該係合突部の回転が規制された状態で当該他の共回り防止部材と連結可能に設けられる、という構成も採ることができる。
【００１０】
【発明の実施の形態】
以下、本発明の実施例について図面を参照しながら説明する。
【００１１】
［第１実施例］
図１には、本発明に係る共回り防止構造が適用された浴室ユニットの水栓取付部の概略斜視図が示され、図２には、図１の分解斜視図が示されている。また、図３には、図１を手前側から見た状態の拡大正面図が示され、図４，図５には、図１のＡ−Ａ線、Ｂ−Ｂ線にそれぞれ沿う断面図が示されている。これらの図において、水栓取付部１０は、浴室の壁面を構成する壁パネル１１と、この壁パネル１１の室内外に配置されるとともに、図１中二点鎖線で示される給水管の各接続部１３，１４同士及び給湯管の各接続部１５，１６同士をそれぞれ接続する配管接続用のアダプター１８，１８と、各アダプター１８，１８にそれぞれ対応して壁パネル１１の室外側（図１，図２中手前側）に各一個づつ設けられ、各アダプター１８，１８の回転を規制する共回り防止部材としての回り止め具１９と、壁パネル１１の室内側に設けられて各アダプター１８，１８を壁パネル１１に固定するナット状のストッパ２１とを備えて構成されている。
【００１２】
前記アダプター１８，１８は、壁パネル１１に形成された二箇所の貫通穴１１Ａ，１１Ａにそれぞれ挿入されるようになっており、当該挿入時において室内側に先端側が突出する段付きねじ筒部２３と、この段付きねじ筒部２３の基部側に位置する平面視略正六角形状の鍔部２４と、この鍔部２４から段付きねじ筒部２３の反対側に延びるとともに、前記挿入時において室外側に突出するねじ筒部２５とにより構成されている。段付きねじ筒部２３及びねじ筒部２５には、各外周面にそれぞれねじが形成されており、段付きねじ筒部２３の基部側の大径部分に前記ストッパ２１がねじ込まれる一方、先端側に位置する小径部分に室内側の接続部１３，１５がねじ込まれるようになっている。また、ねじ筒部２５には、室外側の接続部１４，１６がねじ込まれるようになっている。
【００１３】
前記回り止め具１９は、壁パネル１１に添設される長片状のベース部２７と、このベース部２７の短寸幅方向両端部分に沿って起立する一対の立ち上がり部２８，２８と、ベース部２７の延出方向一端側から壁パネル１１に沿って突出する片状の係合突部２９とを備えて構成されている。
【００１４】
前記ベース部２７には、その延出方向に沿って平面視で略小判状をなすスロット穴２７Ａが形成されている。スロット穴２７Ａは、短寸方向幅が、段付きねじ筒部２３の最大外径よりも大きく設定される一方、鍔部２４の外径よりも小さく設定され、鍔部２４を通さずに段付きねじ筒部２３を挿通させることが可能となっている。なお、スロット穴２７Ａの代わりに、丸穴や角穴等の貫通穴を複数形成してもよいが、スロット穴２７Ａの方が、アダプター１８が挿入される貫通穴１１Ａの位置のばらつき等にもより柔軟に対応することができ、一層汎用的となる。
【００１５】
前記立ち上がり部２８，２８は、ベース部２７の延出方向に延び、ベース部２７と合わせて側面視で略コ字状となるように形成されており、回り止め具１９の取り付け時に壁パネル１１と非接触となる向きに配置される。立ち上がり部２８，２８の間には、アダプター１８の鍔部２４が受容されるようになっており、各立ち上がり部２８，２８の離間幅は、当該各立ち上がり部２８，２８に鍔部２４の外周縁部分が係合可能となる寸法に設けられている。
【００１６】
前記係合突部２９は、図５に示されるように、前記ベース部２７の延出方向一端側部分（図５中右側部分）から壁パネル１１に沿うように段部３１を介して外向きに突出しており、ベース部２７からの高さ位置が立ち上がり部２８の起立高さよりも低くなるように設定されている。また、図３に示されるように、係合突部２９の同図中上下幅は、立ち上がり部２８，２８の離間幅と略同一若しくは僅かに小さく設定されている。なお、前記段部３１を設けずに係合突部２９がベース部２７に直接重ね合される構成としてもよい。
【００１７】
次に、前記回り止め具１９の装着手順について図２及び図３を用いて説明する。
【００１８】
先ず、壁パネル１１に形成された二個の貫通穴１１Ａ，１１Ａに対応して二個の回り止め具１９，１９を用意する。そして、各貫通穴１１Ａ，１１Ａの周囲の壁パネル１１部分に、室外側から各回り止め具１９のベース部２７を当て、貫通穴１１Ａの部分にスロット穴２７Ａを位置させる。そして、これら貫通穴１１Ａ及びスロット穴２７Ａにアダプター１８の段付きねじ筒部２３を挿通し、鍔部２４を立ち上がり部２８，２８間に受容することでアダプター１８と回り止め具１９との相対回転を規制する。ここで、二個の回り止め具１９，１９は、前記係合突部２９が共に図２中右側に位置する同一向きに配置され、図２中左側の回り止め具１９の一端側に設けられた係合突部２９が同図中右側の回り止め具１９の他端側に重ね合わされる。このとき、図３に示されるように、一方の回り止め具１９の係合突部２９が他方の回り止め具１９における規制手段としての立ち上がり部２８，２８間に位置することになり、これによって、各回り止め具１９の相対回転が規制され、各回り止め具１９，１９が連結状態となる。そして、壁パネル１１の室内側に突出する段付きねじ筒部２３に室内側からストッパ２１をねじ込み、各アダプター１８を壁パネル１１に固定する。このとき、各アダプター１８が回り止め具１９に係合した状態となっており、しかも、各回り止め具１９，１９が相互に連結されているため、ストッパ２１を強く締め付けても、当該締め付けに伴う各アダプター１８の共回りが規制され、ストッパ２１を確実に締め付け可能となる。このようにしてストッパ２１が取り付けられた後の各回り止め具１９は、アダプター１８の鍔部２４と壁パネル１１との間に挟み込まれた状態で相互に連結されることになり、接着やビス止め等によって直接壁パネル１１に固定しなくても当該壁パネル１１に対して回転不能に保持されることになる。その後、アダプター１８，１８に各接続部１３〜１６が接続されるが、この場合も、ストッパ２１の締め付け時と同様にアダプター１８の共回りが規制され、アダプター１８，１８と各接続部１３〜１６との接続を確実に行うことができる。
【００１９】
従って、第１実施例によれば、壁パネル１１に凹部を形成して当該凹部に回り止め具１９を受容し、或いは、壁パネル１１に回り止め具１９を接着若しくはねじ止め等することなく、簡単な構成でアダプター１８の回転を規制できるという効果を得る。
【００２０】
次に、本発明の前記以外の実施例について説明する。なお、以下の説明において、前記第１実施例と同一若しくは同等の構成部分については同一符号を用いるものとし、説明を省略若しくは簡略にする。
【００２１】
［第２実施例］
第２実施例は、図６に示されるように、壁パネル１１の室外側の面から突出する補強桟やパネル接合部等に例示される固定部としての片状突出部３４を挟む両側にアダプター１８，１８が取り付けられる場合において、回り止め具１９，１９が回転不能に取り付けられるところに特徴を有する。
【００２２】
すなわち、本実施例では、各回り止め具１９，１９を相反する向きとし、それらの一端側領域、つまり、ベース部２７の延出方向における反係合突部２９側の端部領域と片状突出部３４の図６中左右両側に位置する側面３４Ａ，３４Ａとを接触させた状態で、回り止め具１９，１９が取り付けられる。従って、本実施例においては、片状突出部３４によって回り止め具１９が回転規制されることになり、アダプター１８と回り止め具１９との一体回転が規制可能となる。
【００２３】
［第３実施例］
第３実施例は、図７に示されるように、片状突出部３４の基部側に段差３５等が生じている場合に、回り止め具１９，１９が回転不能に取り付けられるところに特徴を有する。
【００２４】
すなわち、本実施例では、回り止め具１９，１９を図６の場合に対して反対向き、つまり、係合突部２９の先端部分を側面３４Ａに接触させた状態で、回り止め具１９，１９が取り付けられる。本実施例によれば、段差３５を避けて回り止め具１９，１９を配置した上で、アダプター１８と回り止め具１９との一体回転を規制することができる。
【００２５】
なお、前記第２及び第３実施例において、貫通穴１１Ａが壁パネル１１の下部領域に形成される場合は、回り止め具１９の一端側領域が突き当てられる固定部として図示しない床面等を適用することもできる。この場合には、ベース部２７が上下方向に沿う向きで配置され、ベース部２７の延出方向における反係合突部２９側の端部領域、若しくは、係合突部２９の先端部分を前記床面に接触させることで、前述した回り止め具１９の回転が規制される。
【００２６】
また、前記各実施例における共回り防止部材としては、前述した構成の回り止め具１９に限定されるものではなく、アダプター１８と係合して当該アダプター１８との相対回転を防止でき、且つ、壁パネル１１に直接固定せずに回り止め具１９の回転を防止できる限りにおいて、種々の形状、構成の部材を採用することができる。
【００２７】
【発明の効果】
以上説明したように、本発明によれば、各配管接続用アダプターに対してそれぞれ一個づつ設けられる各共回り防止部材を相互に連結したから、共回り防止部材の簡単な取り付け作業でアダプターの回転を規制することができる。
【００２８】
また、前記共回り防止部材は、壁パネルに添設されるベース部と、このベース部の一端側に設けられた係合突部と、ベース部から起立する一対の立ち上がり部とを備え、当該係合突部が隣接する他の共回り防止部材の立ち上がり部間に位置して当該係合突部の回転が規制された状態で連結される構成としたから、各共回り防止部材を連結させる他の連結部材等を不要として、共回り防止部材の取り付け作業を一層簡素化することができる。
【図面の簡単な説明】
【図１】  本発明に係る共回り防止構造が適用された第１実施例に係る水栓取付部の概略斜視図。
【図２】  図１の分解斜視図。
【図３】  図１を手前側から見た拡大正面図。
【図４】  図１のＡ−Ａ線に沿う拡大断面図。
【図５】  図１のＢ−Ｂ線に沿う拡大断面図。
【図６】  第２実施例に係る図２と同様の分解斜視図。
【図７】  第３実施例に係る図５の同一方向の拡大断面図。
【図８】  従来例を説明するための分解斜視図。
【符号の説明】
１１・・・壁パネル、１１Ａ・・・貫通穴、１８・・・アダプター、１９・・・回り止め具（共回り防止部材）、２７・・・ベース部、２８・・・立ち上がり部、２９・・・係合突部、３１・・・段部、３４・・・片状突出部（固定部）
【図１】
0004050059.tif 000002
【図２】
0004050059.tif 000003
【図３】
0004050059.tif 000004
【図４】
0004050059.tif 000005
【図５】
0004050059.tif 000006
【図６】
0004050059.tif 000007
【図７】
0004050059.tif 000008
【図８】
0004050059.tif 000009